(57)【要約】【課題】  ガイドレールに沿って移動自在にしている複数の折れ戸を有する可動間仕切り装置であって、複数の折れ戸を折り畳んだ場合に、この折り畳んだ折れ戸が、そのまま露出することなく、見た目良く収納可能となる可動間仕切り装置を提供する。【解決手段】  ガイドレール（上部ガイドレール５）に沿って移動自在にしている複数の折れ戸１を有する可動間仕切り装置であって、ガイドレール（上部ガイドレール５）が、それに導いた折れ戸１を折り畳んで収納する収納レール部１０と、収納レール部１０に収納した、折り畳んだ折れ戸１を、それに導いた折れ戸１によって取り囲むことができる囲みレール部１１とを備えていることを特徴とする可動間仕切り装置。【選択図】図１
2005264642.tif 000002
【特許請求の範囲】
【請求項１】
ガイドレールに沿って移動自在にしている複数の折れ戸を有する可動間仕切り装置であって、ガイドレールが、それに導いた折れ戸を折り畳んで収納する収納レール部と、収納レール部に収納した、折り畳んだ折れ戸を、それに導いた折れ戸によって取り囲むことができる囲みレール部とを備えていることを特徴とする可動間仕切り装置。
【請求項２】
ガイドレールが、折れ戸の上方に配置される上部ガイドレールであることを特徴とする請求項１記載の可動間仕切り装置。
【請求項３】
ガイドレールを、折れ戸の上方に配置される上部ガイドレールと、折れ戸の下方に配置される下部ガイドレールとで構成していることを特徴とする請求項２記載の可動間仕切り装置。
【発明の詳細な説明】
【技術分野】
【０００１】
本発明は、ガイドレールに沿って移動自在にしている複数の折れ戸を有する可動間仕切り装置に関するものである。
【背景技術】
【０００２】
従来、ガイドレールに沿って移動自在にしている折れ戸が知られている（例えば特許文献１参照）。この折れ戸１は、図５（ａ）、（ｂ）に示すように、各戸本体２Ａ、２Ｂが、上部ガイドレール５及び下部ガイドレール７に沿って移動自在であり、蝶番３によって、折れ戸１を平板状に展開させたり、仮想線で示すように、折れ戸１をＶ字状に折り畳むことができるものである。なお、各戸本体２Ａ、２Ｂと、上部ガイドレール５、下部ガイドレール７とは、ガイド部材４Ａ、４Ｂ、６Ａ、６Ｂを介して接続されている。
【０００３】
このようなガイドレールに沿って移動自在にしている折れ戸は単独で又は複数組み合わせて可動間仕切り装置とすることができる。折れ戸１を複数組み合わせて可動間仕切り装置とした従来例を図３、図４に示す。図３、図４は共に平面図である。図３は、５組の折れ戸１を組み合わせて可動間仕切り装置とした例であり、折れ戸１の上部側に配置した上部ガイドレール５に沿って移動自在にしている５組の折れ戸１を、図３（ａ）に示すように、平板状に展開させて、広い部屋の間仕切りとしている。そして、図３（ｂ）に示すように、５組の折れ戸１をそれぞれＶ字状に折り畳み、じゃばら状にすることで、間仕切りしていた２つの部屋を一つの広い部屋に変化させる。
【０００４】
また、図４は、８組の折れ戸１を組み合わせて可動間仕切り装置とした例であり、折れ戸１の上部側に配置した上部ガイドレール５に沿って移動自在にしている８組の折れ戸１を、図４（ａ）に示すように、４組づつ平板状に展開させて、周囲空間から和室を区切るための間仕切りとしている。そして、図４（ｂ）に示すように、８組の折れ戸１をそれぞれＶ字状に折り畳み、じゃばら状にすることで、間仕切っていた和室と周囲空間との境界がなくなるように変化させている。
【０００５】
図３（ｂ）や、図４（ｂ）に示すように、複数の折れ戸１をそれぞれＶ字状に折り畳んでじゃばら状にした場合、このじゃばら状にした折れ戸１が、そのまま露出するため、見た目が悪いという問題があった。また、別途、折り畳んでじゃばら状にした折れ戸の収納スペースであって、外部から折り畳んだ折れ戸が見えない、収納扉付きの収納スペースを独立して設けた場合には、その収納スペースが、複数の折れ戸１を平板状に展開させて、間仕切りとしたときに、デッドスペースになるという新たな問題が生じることになる。
【特許文献１】特開２０００−３３７００９号公報
【発明の開示】
【発明が解決しようとする課題】
【０００６】
本発明は、上記背景技術に鑑みて発明されたものであり、その課題は、ガイドレールに沿って移動自在にしている複数の折れ戸を有する可動間仕切り装置であって、複数の折れ戸を折り畳んでじゃばら状にした場合に、この折り畳んだ折れ戸が、そのまま露出することなく、見た目良く収納可能となる可動間仕切り装置を提供することである。
【課題を解決するための手段】
【０００７】
上記課題を解決するために、請求項１に係る発明は、ガイドレールに沿って移動自在にしている複数の折れ戸を有する可動間仕切り装置であって、ガイドレールが、それに導いた折れ戸を折り畳んで収納する収納レール部と、収納レール部に収納した、折り畳んだ折れ戸を、それに導いた折れ戸によって取り囲むことができる囲みレール部とを備えていることを特徴としている。このようにすることによって、複数の折れ戸を折り畳んでじゃばら状にした場合に、この折り畳んだ折れ戸が、そのまま露出することなく、見た目良く収納可能となる可動間仕切り装置となる。
【０００８】
請求項２に係る発明は、請求項１記載の可動間仕切り装置において、ガイドレールが、折れ戸の上方に配置される上部ガイドレールであることを特徴としている。このようにすることによって、折れ戸の移動が容易にできるようになる。
【０００９】
請求項３に係る発明は、請求項２記載の可動間仕切り装置において、ガイドレールを、折れ戸の上方に配置される上部ガイドレールと、折れ戸の下方に配置される下部ガイドレールとで構成していることを特徴としている。このようにすることによって、折れ戸の移動がより容易にできるようになる。
【発明の効果】
【００１０】
本発明の可動間仕切り装置においては、ガイドレールが、それに導いた折れ戸を折り畳んで収納する収納レール部と、収納レール部に収納した、折り畳んだ折れ戸を、それに導いた折れ戸によって取り囲むことができる囲みレール部とを備えている。従って、本発明の可動間仕切り装置は、複数の折れ戸を折り畳んでじゃばら状にした場合に、この折り畳んだ折れ戸が、そのまま露出することなく、見た目良く収納可能な可動間仕切り装置となる。
【発明を実施するための最良の形態】
【００１１】
以下、本発明の好ましい実施の形態について説明する。
【００１２】
図１は、本発明の第１実施形態を示していて、（ａ）、（ｂ）共に平面図である。第１実施形態は、５組の折れ戸１を組み合わせて可動間仕切り装置としたものである。図１（ａ）に示すように、折れ戸１の上部側に配置した上部ガイドレール５に沿って移動自在にしている５組の折れ戸１を、平板状に展開させて、広い部屋の間仕切りとしている。なお、各折れ戸１は、戸本体２Ａ、２Ｂで構成され、戸本体２Ａ、２Ｂを接続している蝶番３の働きで、折れ戸１を平板状に展開させたり、Ｖ字状に折り畳むことができるようにしている。また、各戸本体２Ａ、２Ｂと、上部ガイドレール５とは、ガイド部材（図示せず）を介して接続している。さらに、第１実施形態では、上部ガイドレール５の一部として、図１（ａ）に示すように、収納レール部１０と、囲みレール部１１とを備えていて、これらに、各折れ戸１を導くことができるようにしている。
【００１３】
そして、図１（ｂ）に示すように、５組の折れ戸１の中の３組の折れ戸１を、収納レール部１０に導いて、Ｖ字状に折り畳み、じゃばら状にする。さらに、５組の折れ戸１の中の残りの２組の折れ戸１を囲みレール部１１に導き、収納レール部１０に折り畳んで収納した３組の折れ戸１を、囲みレール部１１に導いた２組の折れ戸１と、室内の壁８とによって取り囲む。このようにして、５組の折れ戸１を、収納レール部１０又は囲みレール部１１に導びくことで、間仕切りしていた２つの部屋を一つの広い部屋に変化させる。
【００１４】
このように、第１実施形態では、複数の折れ戸１を折り畳んでじゃばら状にした場合に、この折り畳んだ折れ戸１を、そのまま露出させることなく、囲みレール部１１に導いた折れ戸１によって隠すことが可能となる。すなわち、第１実施形態の可動間仕切り装置は、折り畳んだ折れ戸１を見た目良く収納可能な可動間仕切り装置となる。そして、図１（ａ）に示すように、複数の折れ戸１を平板状に展開させて、間仕切りとしたときに、囲みレール部１１の部分は開放されたスペースとなり、有効活用可能なスペースとなる。
【００１５】
また、この実施形態の可動間仕切り装置では、ガイドレールが、折れ戸１の上方に配置される上部ガイドレール５であるので、折れ戸１の移動を容易に行うことができる。さらに、ガイドレールを、折れ戸１の上方に配置される上部ガイドレール５に加えて、折れ戸１の下方に配置される下部ガイドレールとで構成すると、折れ戸１の移動がより容易になるので好ましい。なお、下部ガイドレールを配置する場合には、各戸本体２Ａ、２Ｂと、下部ガイドレールとは、ガイド部材を介して接続することが好ましい。
【００１６】
次に、本発明の第２実施形態を図２に基づいて説明する。図２は第２実施形態を説明する図であり、（ａ）、（ｂ）共に平面図である。第２実施形態は、８組の折れ戸１を組み合わせて可動間仕切り装置としたものである。図２（ａ）に示すように、折れ戸１の上部側に配置した上部ガイドレール５に沿って移動自在にしている８組の折れ戸１を、４組づつ平板状に展開させて、周囲空間から和室を区切るための間仕切りとしている。なお、各折れ戸１は、戸本体２Ａ、２Ｂで構成され、戸本体２Ａ、２Ｂを接続している蝶番３の働きで、折れ戸１を平板状に展開させたり、Ｖ字状に折り畳むことができるようにしている。また、各戸本体２Ａ、２Ｂと、上部ガイドレール５とは、ガイド部材（図示せず）を介して接続している。さらに、第２実施形態では、上部ガイドレール５の一部として、図２（ａ）に示すように、収納レール部１０と、囲みレール部１１とを備えていて、これらに、各折れ戸１を導くことができるようにしている。
【００１７】
そして、図２（ｂ）に示すように、８組の折れ戸１の中の５組の折れ戸１を、収納レール部１０に導いて、Ｖ字状に折り畳み、じゃばら状にする。さらに、８組の折れ戸１の中の残りの３組の折れ戸１を囲みレール部１１に導き、収納レール部１０に折り畳んで収納した５組の折れ戸１を、囲みレール部１１に導いた３組の折れ戸１と室内の壁８とによって取り囲む。このようにして、８組の折れ戸１を、収納レール部１０又は囲みレール部１１に導びくことで、間仕切っていた和室と周囲空間との境界がなくなるようにしている。
【００１８】
このように、第２実施形態では、複数の折れ戸１を折り畳んでじゃばら状にした場合に、この折り畳んだ折れ戸１を、そのまま露出させることなく、囲みレール部１１に導いた折れ戸１によって隠すことが可能となる。すなわち、第２実施形態の可動間仕切り装置は、折り畳んだ折れ戸１を見た目良く収納可能な可動間仕切り装置となる。そして、図２（ａ）に示すように、複数の折れ戸１を平板状に展開させて、間仕切りとしたときには、囲みレール部１１の部分は開放されたスペースとなり、有効活用可能なスペースとなる。
【００１９】
また、第１実施形態と同様に、ガイドレールが、折れ戸１の上方に配置される上部ガイドレール５であるので、折れ戸１の移動を容易に行うことができる。さらに、ガイドレールを、折れ戸１の上方に配置される上部ガイドレール５に加えて、折れ戸１の下方に配置される下部ガイドレールとで構成すると、折れ戸１の移動がより容易になるので好ましい。なお、下部ガイドレールを配置する場合には、各戸本体２Ａ、２Ｂと、下部ガイドレールとは、ガイド部材を介して接続することが好ましい。
【図面の簡単な説明】
【００２０】
【図１】本発明の可動間仕切り装置の第１実施形態を示していて、（ａ）は間仕切りした状態、（ｂ）は折れ戸を折り畳んで収納した状態を示す平面図である。
【図２】本発明の可動間仕切り装置の第２実施形態を示していて、（ａ）は間仕切りした状態、（ｂ）は折れ戸を折り畳んで収納した状態を示す平面図である。
【図３】従来の可動間仕切り装置の一例を示していて、（ａ）は間仕切りした状態、（ｂ）は折れ戸を折り畳んだ状態を示す平面図である。
【図４】従来の可動間仕切り装置の他の一例を示していて、（ａ）は間仕切りした状態、（ｂ）は折れ戸を折り畳んだ状態を示す平面図である。
【図５】従来の折れ戸の一例を示していて、（ａ）は平面図、（ｂ）は正面図である。
【符号の説明】
【００２１】
１  折れ戸
２Ａ、２Ｂ  戸本体
３  蝶番
４Ａ、４Ｂ  ガイド部材
５  上部ガイドレール
６Ａ、６Ｂ  ガイド部材
７  下部ガイドレール
８  室内の壁
９  止水片
１０  収納レール部
１１  囲みレール部
【図１】
2005264642.tif 000003
【図２】
2005264642.tif 000004
【図３】
2005264642.tif 000005
【図４】
2005264642.tif 000006
【図５】
2005264642.tif 000007